(57)【要約】【課題】スプールを支持する保持部材をスプール軸にガタつきなく確実に固定する。【解決手段】リール本体１と、リール本体１に進退動可能に設けられたスプール軸５と、スプール軸５に挿通され、スプール４を支持する保持部材１０と、保持部材１０をスプール軸５に係止する係止部と、スプール軸５に螺合され、保持部材１０を係止部側へ押圧する締付部材と、を備えた構成とした。【選択図】図２
2015208287.tif 000002
【特許請求の範囲】
【請求項１】
リール本体と、
前記リール本体に進退動可能に設けられたスプール軸と、
前記スプール軸に挿通され、スプールを支持する保持部材と、
前記保持部材を前記スプール軸に係止する係止部と、
前記スプール軸に螺合され、前記保持部材を前記係止部側へ押圧する締付部材と、を備えたことを特徴とする魚釣用スピニングリール。
【請求項２】
前記保持部材は、前記係止部により前記スプール軸に係止される基部と、前記基部から延在して前記スプール軸を囲繞する筒部と、を備えており、
前記締付部材は、螺合により前記筒部内に進入して前記基部を押圧し、前記保持部材を軸方向に締め付け可能であることを特徴とする請求項１に記載の魚釣用スピニングリール。
【請求項３】
前記締付部材は、前記スプール軸の先端部に螺合されることで前記保持部材を前記係止部側へ押圧することを特徴とする請求項１または請求項２に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、リール本体の前方に回転可能に設けられたロータと、このロータの回転運動と同期して前後方向移動可能に設けられ、ロータを介して釣糸が巻回されるスプールとを有して構成される。
スプールは、ボールベアリング等の軸受および筒状の保持部材を介してスプール軸に回転自在に装着されている。
【０００３】
スプール軸に対する保持部材の固定方法としては、例えば特許文献１に記載された魚釣用スピニングリールが知られている。
特許文献１では、保持部材の胴部に貫通するねじ孔が形成され、このねじ孔に対応する雌ねじがスプール軸に形成されている。そして、六角穴付きのイモねじを保持部材のねじ孔を通じてスプール軸の雌ねじにねじ込むことで、保持部材がスプール軸に軸方向移動不能および軸周りに回り止めされて固定される。
【先行技術文献】
【特許文献】
【０００４】
【特許文献１】特開２０１１−１４７３９６号公報
【発明の概要】
【発明が解決しようとする課題】
【０００５】
前記特許文献１の魚釣用スピニングリールでは、保持部材およびスプール軸にねじ加工が必要で製造コストが高くなるという課題があった。
また、保持部材の周りにスプールが配置される構造上、スプール軸の軸直方向にイモねじを配置するための広いスペースを確保することが難しかった。このため、スプール軸に対するイモねじのかかりが少なくなってイモねじが緩むおそれもあった。このようなイモねじの緩みが生じると、保持部材がガタつくおそれがあり、また、スプール軸からスプールを取り外した際に、保持部材も一緒に外れて紛失するおそれもある。
【０００６】
本発明は、前記課題を解決するためになされたものであり、安価に製造できるとともに、保持部材をガタつきなく脱落不能に確実に固定することができる魚釣用スピニングリールを提供することを目的とする。
【課題を解決するための手段】
【０００７】
前記目的を達成するために本発明の魚釣用スピニングリールは、リール本体と、前記リール本体に進退動可能に設けられたスプール軸と、前記スプール軸に挿通され、スプールを支持する保持部材と、前記保持部材を前記スプール軸に係止する係止部と、前記スプール軸に螺合され、前記保持部材を前記係止部側へ押圧する締付部材と、を備えたことを特徴とする。
【０００８】
この魚釣用スピニングリールによれば、スプール軸に締付部材を螺合して締め付けると、締付部材が保持部材に当接し、保持部材を係止部側へ押圧する。
【０００９】
また、本発明は、「前記保持部材は、前記係止部により前記スプール軸に係止される基部と、前記基部から延在して前記スプール軸を囲繞する筒部と、を備えており、前記締付部材は、螺合により前記筒部内に進入して前記基部を押圧し、前記保持部材を軸方向に締め付け可能である」ことを特徴とする。
【００１０】
この魚釣用スピニングリールによれば、保持部材の筒部内に締付部材を進入させて筒部内にて締付部材を締め付けることができる。
【００１１】
また、本発明は、「前記締付部材は、前記スプール軸の先端部に螺合されることで前記保持部材を前記係止部側へ押圧する」ことを特徴とする。
【００１２】
この魚釣用スピニングリールによれば、スプール軸の先端部に締付部材を螺合して締め付けると、締付部材が保持部材に当接し、保持部材を係止部側へ押圧する。
【発明の効果】
【００１３】
本発明によれば、スプール軸に締付部材を螺合して締め付けると、締付部材が保持部材に当接し、保持部材を係止部側へ押圧するので、保持部材が係止部と締付部材との間にしっかりと挟持される。これによって、保持部材をスプール軸にガタつきなく確実に固定することができる。
また、保持部材が係止部と締付部材との間にしっかりと挟持されるので、スプール軸から保持部材が脱落するのを好適に防止することができる。
また、締付部材の締め付けによって保持部材を固定することができるので、従来のようにイモねじで締め付ける場合のように、煩雑なねじ加工を施す必要がなく、安価に製造できる。
【００１４】
また、保持部材の筒部内に締付部材を進入させて筒部内にて締付部材を締め付けることができるので、締付部材が外部に露出することがなく、締付部材が緩み難い。したがって、長期間に渡って保持部材をガタつきなく固定することができる。
【００１５】
また、スプール軸の先端部に締付部材を螺合して締め付けることで、締付部材が保持部材に当接し、保持部材を係止部側へ押圧する構成では、スプール軸の先端に締付部材を螺合するという簡単な構造で保持部材をスプール軸にガタつきなく固定することができる。また、保持部材内にスプール軸の先端部を配置することによって、スプール軸の軸長を短く設定することができる。したがって、軽量化、コンパクト化を図ることができる。
【図面の簡単な説明】
【００１６】
【図１】本発明の第１実施形態に係る魚釣用スピニングリールの全体構成を示す図である。
【図２】保持部材とスプールと固定構造を示す拡大断面図である。
【図３】（ａ）は締付部材の螺合前の様子を示す保持部材の断面図、（ｂ）は締付部材の斜視図、（ｃ）は締付部材の螺合後の様子を示す保持部材の断面図である。
【図４】本発明の第２実施形態に係る魚釣用スピニングリールの保持部材とスプールと固定構造を示す拡大断面図である。
【図５】（ａ）は締付部材の螺合前の様子を示す保持部材の断面図、（ｂ）は締付部材の斜視図、（ｃ）は締付部材の螺合後の様子を示す保持部材の断面図である。
【図６】本発明の第３実施形態に係る魚釣用スピニングリールの保持部材とスプールと固定構造を示す図であり、（ａ）は要部拡大断面図、（ｂ）は軸方向から見た要部の正面図、（ｃ）は一部を断面にして示した要部斜視図である。
【発明を実施するための形態】
【００１７】
以下、本発明に係る魚釣用スピニングリールの実施形態について図面を参照して説明する。実施形態において、同一の部分には同一の符号を付し、重複する説明は省略する。なお、以下の説明において、「前後」「上下」を言うときは、図１に示した方向を基準とする。
【００１８】
図１に示すように、魚釣用スピニングリールは、従来のものと同様に、主として、上方へ延出する脚部１ｃが設けられたリール本体１と、リール本体１の前方に回転可能に設けられたロータ３と、このロータ３の回転運動と同期して前後方向移動可能に設けられたスプール４とを有している。
【００１９】
リール本体１は、軽量化が図れる材料、例えば、アルミニウム合金、チタン合金、マグネシウム合金等の金属や、ＡＢＳ樹脂、ＰＡ樹脂等の高強度樹脂や、ＣＦＲＰ、ＧＦＲＰ等の繊維強化樹脂等で剛性構造に形成されている。リール本体１には、必要に応じて、その表面に外観を向上するための装飾層が施されている。リール本体１は、一側に開口する内部空間ＳＰが形成されるリールボディ１ａと、この内部空間ＳＰを閉じる蓋体１ｂとを有している。
【００２０】
蓋体１ｂは、リールボディ１ａの開口端に配置された適宜の位置決め部材を介して正確に位置決めされる。蓋体１ｂは、３本のねじ１ｅを締付けることによりリールボディ１ａに固定される。リールボディ１ａおよび蓋体１ｂには、図示しない軸受部材がそれぞれ配置されており、これらの軸受部材を介してハンドル軸２ａが回転可能に支持されている。ハンドル軸２ａの突出端部には、ハンドル２が取り付けられている。
【００２１】
内部空間ＳＰ内には、ハンドル軸２ａに一体的に形成されたドライブギヤ（不図示）が配置されている。ドライブギヤにより、図示しない巻取駆動機構のピニオンギヤを介してロータ３が回転駆動される。また、これに同期して、内部空間ＳＰ内に備わるスプール往復動装置が駆動され、スプール軸５が往復動する。このスプール軸５は、リールボディ１ａに一体的に形成されて内部空間ＳＰ内に配置される支持部材（不図示）で案内されつつ、先端に配置したスプール４とともに前後動する。各部材は、剛性構造のリールボディ１ａおよび蓋体１ｂにより、滑らかな動作が確保されている。
【００２２】
このような魚釣用スピニングリールにおいて、ハンドル２を回転操作すると、ハンドル軸２ａが回転され、スプール往復動装置を介してスプール４が前後に往復動するとともに、巻取駆動機構を介してロータ３が回転駆動される。これにより、スプール４の巻回胴部４ａには、釣糸案内部３ａを介して、釣糸が均等に巻回される。なお、ハンドル２は、図に示す左側位置から、必要に応じて反対側に付け替えることができる。
【００２３】
スプール４は、図２に示すように、保持部材１０を介してスプール軸５に取り付けられている。スプール軸５は、大径部５ａと、大径部５ａの先端側に連続する小径部５ｂとからなる。本実施形態では、大径部５ａと小径部５ｂとに亘って保持部材１０が取り付けられている。大径部５ａの前端部には、軸直方向に貫通する透孔５１が形成されている。透孔５１には、保持部材１０を係止するための係止ピン５２が挿入される。小径部５ｂの外面には、雄ネジ５ｂ１が形成されている。
【００２４】
保持部材１０は、スプール軸５に挿通される筒状を呈しており、基部１１と、筒部１２とを備えている。本実施形態の保持部材１０は、外周面が直線部と曲線部とを有する断面略小判形状（不図示）に形成されている。基部１１は、スプール軸５の大径部５ａに装着される大径内周部１１ａと、大径内周部１１ａよりも小径とされた小径内周部１１ｂとを有している。
【００２５】
大径内周部１１ａは、スプール軸５の大径部５ａに外嵌される内径を有している。大径内周部１１ａには、係止ピン５２が挿入配置される貫通孔１１ｃが開口形成されている。貫通孔１１ｃは、スプール軸５の透孔５１に連通している。小径内周部１１ｂは、スプール軸の小径部５ｂが挿通される内径を有している。
本実施形態では、スプール軸５に保持部材１０を係止するための透孔５１、貫通孔１１ｃおよび係止ピン５２が、特許請求の範囲における「係止部」に相当する。この係止部によって、スプール軸５に保持部材１０が軸方向移動不能および軸周りに回転不能に取り付けられている。
【００２６】
基部１１の外面には、貫通孔１１ｃを塞ぐようにしてリング状の軸受１３が取り付けられている。軸受１３は、図３（ａ）（ｃ）に示すように、基部１１の周溝１１ｄに外嵌される保持リング１１ｅによって抜け止め保持されている。軸受１３は、図２に示すように、スプール４の支持部４１の内側に挿入されて、支持部４１を支持している。
【００２７】
基部１１の後部には、段部を有する鍔部１４が一体的に形成されている。鍔部１４の後部には、クリック爪バネ１４ａを支持する環状壁部１４ｂが取り付けられている。クリック爪バネ１４ａの端部１４ａ１は、スプール４の中筒４２の内面に形成された歯部４２ａに係合している。鍔部１４の前部は、スペーサ１５を介してスプール４の支持部４１の後端部４１ａに当接している。
【００２８】
筒部１２は、基部１１の前部に一体的に形成されている。筒部１２は、スプール軸５の小径部５ｂに沿って前方へ延在し、小径部５ｂとの間に隙間Ｓ１を形成して小径部５ｂの略中央部分を囲繞している。筒部１２の内側には、図３（ｃ）に示すように、基部１１のテーパ状の前端面１１ｆに当接するようにして、締付部材としてのナット２０が締め付けられる。
【００２９】
筒部１２は、図２に示すように、ドラグ装置５０を構成している固定制動板５３ａと、回転制動板５３ｂと、ライニング材５３ｃと、ラチェットリング５４と、ドラグ力調整部材５５の押圧板５６ａとに嵌挿されている。
【００３０】
ナット２０は、スプール軸５の小径部５ｂに螺合可能である。ナット２０は、図３（ｂ）に示すように、円筒状を呈しており、螺合によって筒部１２の開口１２ｂから筒部１２の内側（隙間Ｓ１内）に進入可能である。ナット２０の後端面２０ｆは、基部１１の前端面１１ｆに対応するテーパ状に形成されている。ナット２０の前部には、締付用の治具を装着するための装着穴２０ａが形成されている。ナット２０は、治具によって締め付けられることで、保持部材１０の基部１１の前端面１１ｆに当接し、保持部材１０を係止部（係止ピン５２）に向けて押圧する。これにより、保持部材１０が軸方向に締め付けられ、係止部とナット２０との間に挟持されるようにして保持部材１０がスプール軸５に確実に固定される。
【００３１】
スプール４は、釣糸が巻回される巻回胴部４ａと、巻回胴部４ａの前端側に設けられた前側フランジ部４ｂと、後端側に設けられたスカート部４ｃとを有する筒状構造に形成されている。巻回胴部４ａの内側には、円筒状の支持部４１が一体に形成されている。支持部４１の前部内側には、軸受４３が装着されている。支持部４１は、この軸受４３および保持部材１０に装着された軸受１３を介して保持部材１０の軸周りに回転自在に支持される。支持部４１の前方には、前方に向けて開口する開口凹部４４が設けられている。開口凹部４４には、ドラグ装置５０が配置される。
【００３２】
ドラグ装置５０は、固定制動板５３ａと、回転制動板５３ｂと、ライニング材５３ｃと、ラチェットリング５４と、ドラグ力調整部材５５とを有している。固定制動板５３ａは、保持部材１０の非円形の外周（断面小判形状）に対して周り止め嵌合されている。回転制動板５３ｂは、外周部がスプール４０の内面に回り止め嵌合されている。固定制動板５３ａおよび回転制動板５３ｂはそれぞれ２枚以上設けてもよい。固定制動板５３ａおよび回転制動板５３ｂの摩擦係合面には、ライニング材５３ｃが配置されている。
【００３３】
保持部材１０の筒部１２と固定制動板５３ａとの間の回り止めは、固定制動板５３ａの中央部に形成した装着孔を、筒部１２の外周面の非円形形状（断面小判形状）に対応した非円形形状（断面小判形状）に形成し、筒部１２の外周面に、固定制動板５３ａの非円形形状の装着孔を嵌合することにより、行うことができる。
【００３４】
ラチェットリング５４は、クリック機構を構成している。ラチェットリング５４は、皿状を呈しており、挟持部５４ａとリング部５４ｂとを一体的に備えている。挟持部５４ａは、ドラグ力調整部材５５の押圧板５６ａとライニング材５３ｃとの間に配設される。リング部５４ｂは、挟持部５４ａの縁部から前方へ向けて延在し、ドラグ力調整部材５５の外周円筒部５５ｂの外側に配設される。リング部５４ｂの内周面には図示しないクリック係合子の突出部が係合する多数のクリック凹凸歯５４ｃが並設されている。このため、クリック係合子の突出部に対して相対的にクリック凹凸歯５４ｃの係合位置が移動する際にクリック音が発生する。
【００３５】
ドラグ力調整部材５５は、スプール軸５の小径部５ｂの先端部に螺合されて取り付けられる。ドラグ力調整部材５５は、ラチェットリング５４、固定制動板５３ａおよび回転制動板５３ｂを押圧する押圧部材５６と、押圧部材５６の押圧力を調整するためのドラグノブ５７と、スプール軸５の小径部５ｂの雄ネジ５ｂ１に螺合するナット部材５８と、圧縮コイルバネ（弾性部材）５９と、を備えている。
【００３６】
押圧部材５６は、保持部材１０の筒部１２の先端外周に配置される押圧板５６ａを備えている。押圧板５６ａとナット部材５８との間には、圧縮コイルバネ５９が介設されている。押圧板５６ａは、圧縮コイルバネ５９の付勢力によってラチェットリング５４、固定制動板５３ａおよび回転制動板５３ｂを押圧している。
【００３７】
ドラグノブ５７の後部には、ねじ５７ａ，５７ａを介して押圧部材５６の前端部が取り付けられている。なお、ドラグノブ５７の外周には、スプール４の前側フランジ部４ｂの内周面との間の水密を図るシール部材５７ｂが配設されている。
【００３８】
ナット部材５８は、押圧部材５６の内側に収容され、ドラグノブ５７の後部に軸方向移動可能に回り止め嵌合されている。ナット部材５８は、スプール軸５の小径部５ｂの雄ネジ５ｂ１に螺合される雌ねじ５８ａと、圧縮コイルバネ５９の前端を支持する凹部５８ｂとを有している。これにより、ドラグノブ５７をスプール軸５に対して締め付ける方向に回転させると、ドラグノブ５７に対して回り止めされたナット部材５８の雌ねじ５８ａがスプール軸５の小径部５ｂの雄ネジ５ｂ１に螺合される。
【００３９】
このようなドラグ装置５０において、ドラグ力調整部材５５は、固定制動板５３ａと回転制動板５３ｂとの摩擦結合力を調節する調節体として機能する。押圧力（ドラグ力）は押圧部材５６とドラグノブ５７との間に配置した圧縮コイルバネ５９の付勢力で生じ、この押圧力をドラグノブ５７で調節することができる。すなわち、ドラグノブ５７をスプール軸５（小径部５ｂ）に捩じ込むと、ナット部材５８の雌ねじ５８ａに対するスプール軸５の雄ネジ５ｂ１の捩じ込み量に応じた圧縮コイルバネ５９の押圧力で、固定制動板５３ａおよび回転制動板５３ｂが後端部のライニング材５３ｃを介してスプール４の支持部４１に押圧され、スプール軸５に対するスプール４の回転が規制される。
なお、前記のように、圧縮コイルバネ５９の押圧力はスプール４の支持部４１に作用するため、保持部材１０に対してドラグ力が直接的に作用することがない。これによって、ナット２０の締め付けによる保持部材１０の固定状態が好適に維持されるようになっている。
【００４０】
以上説明した本実施形態の魚釣用スピニングリールによれば、スプール軸５（小径部５ｂ）にナット２０を螺合して締め付けると、ナット２０が保持部材１０の基部１１の前端面１１ｆに当接し、保持部材１０を係止部側（係止ピン５２側）へ押圧するので、保持部材１０が係止部（係止ピン５２）とナット２０との間にしっかりと挟持される。これによって、保持部材１０をスプール軸５にガタつきなく固定することができる。
【００４１】
また、保持部材１０が係止部（係止ピン５２）とナット２０との間にしっかりと挟持されるとともに、スプール軸５の先端部側から締め付けられるナット２０で保持部材１０が固定されるので、スプール軸５から保持部材１０が脱落するのを好適に防止することができる。
【００４２】
また、ナット２０の締め付けによって保持部材１０を固定することができるので、従来のようにイモねじで締め付ける場合のように、煩雑なねじ加工を施す必要がなく、安価に製造できる。
【００４３】
また、保持部材１０の筒部１２内にナット２０を進入させて筒部１２内にてナット２０を締め付けることができるので、ナット２０が外部に露出することがなく、ナット２０が緩み難い。したがって、長期間に渡って保持部材１０をガタつきなく固定することができる。
【００４４】
（第２実施形態）
図４を参照して第２実施形態の魚釣用スピニングリールについて説明する。本実施形態では、スプール軸５Ａの先端部５ｅに締結部材としてのねじ６０を螺合して締め付けることで、ねじ６０が保持部材１０Ａに当接し、保持部材１０Ａを係止部（係止ピン５２）側へ押圧するように構成されている点が異なる。
【００４５】
スプール軸５Ａは、先端部５ｅがスプール４の支持部４１の内側に位置しており、第１実施形態のスプール軸５に比べての全長が短く形成されている。先端部５ｅには、軸方向に雌ねじ部５ｆ（図５（ａ）参照）が形成されている。透孔５１は、先端部５ｅの近傍に形成されている。
【００４６】
保持部材１０Ａは、外周面が２つの直線部とこの２つの直線部を繋ぐ２つの曲線部とを有する断面略小判形状（不図示）に形成されている。基部１１は、図５（ａ）に示すように、スプール軸５Ａの先端部５ｅの外面に外嵌される内周部１１ａ１を有している。基部１１の外面には、貫通孔１１ｃを塞ぐようにしてボールベアリングからなる軸受１３Ａが取り付けられている。
【００４７】
筒部１２は、第１実施形態と略同様であるが、内面に雌ねじ１２ｅが形成されている点が異なる。雌ねじ１２ｅには、図４に示すように、ドラグ装置５０Ａの係合部材５８Ａの雄ネジ５８ｃが螺合される。筒部１２の内側には、図５（ｃ）に示すように、基部１１の平らな前端面１１ｇに当接するようにして、締付部材としてのねじ６０が締め付けられる。
【００４８】
ねじ６０は、スプール軸５Ａの雌ねじ部５ｆに螺合可能である。ねじ６０は、図５（ｂ）に示すように、平ねじであり、筒部１２の内側に挿入可能な平板状の頭部６１を有している。締め付け時に頭部６１は、基部１１の前端面１１ｇに当接し、保持部材１０Ａを係止部（係止ピン５２）に向けて押圧する。これにより、保持部材１０Ａが軸方向に締め付けられ、係止部とねじ６０との間に挟持されるようにして保持部材１０Ａが固定される。
【００４９】
ドラグ装置５０Ａは、図４に示すように、保持部材１０Ａの筒部１２に螺合されるドラグ力調整部材５５Ａを有している。ドラグ力調整部材５５Ａは、ラチェットリング５４、固定制動板５３ａおよび回転制動板５３ｂを押圧する押圧部材５６Ａと、押圧部材５６Ａの押圧力を調整するためのドラグノブ５７Ａと、筒部１２の雌ねじ１２ｅに螺合する雄ネジ５８ｃを備えた係合部材５８Ａ（ナット部材）と、圧縮コイルバネ（弾性部材）５９と、を備えている。
【００５０】
押圧部材５６Ａは、押圧板５６ａと、押圧板５６ａに連続する円筒部５６ｂとを有している。円筒部５６ｂには、複数の側孔５６ｃが形成されている。
ドラグノブ５７Ａは、キャップ５７ｃと、キャップ５７ｃの後部に設けられ、複数の爪部５７ｄを有する筒状部５７ｅとを有している。爪部５７ｄは、押圧部材５６Ａの円筒部５６ｂの側孔５６ｃに係合される。
【００５１】
係合部材５８Ａは、押圧部材５６Ａの内側に収容され、ドラグノブ５７Ａの後部に軸方向移動可能に回り止め嵌合されている。係合部材５８Ａは、保持部材１０Ａの筒部１２の雌ねじ１２ｅに螺合される雄ネジ５８ｃと、圧縮コイルバネ５９の前端を支持する凹部５８ｂとを有している。これにより、ドラグノブ５７Ａを保持部材１０Ａの筒部１２に対して回転させると、ドラグノブ５７Ａに対して回り止めされた係合部材５８Ａの雄ネジ５８ｃが筒部１２の雌ねじ１２ｅに螺合される。
【００５２】
本実施形態の魚釣用スピニングリールによれば、スプール軸５Ａの先端部５ｅにねじ６０を螺合して締め付けることで、ねじ６０（頭部６１）が保持部材１０Ａ（基部１１の前端面１１ｇ）に当接し、保持部材１０Ａを係止部（係止ピン５２）側へ押圧する。したがって、保持部材１０Ａをスプール軸５Ａにガタつきなく固定することができる。また、ねじ６０はスプール軸５Ａの先端部５ｅに螺合されて締め付けられるので、スプール軸５Ａの軸長を保持部材１０Ａ内に設定することができ、軸長を短く設定することができる。これにより、軽量化、コンパクト化を図ることができる。
【００５３】
（第３実施形態）
図６を参照して第３実施形態の魚釣用スピニングリールについて説明する。本実施形態が前記第１，第２実施形態と異なるところは、保持部材１０Ｂの前端部１６に締結部材としてのナット２０Ｂを螺合により当接させて、段差部分５ｈ側（基部１１に配置される回り止めおよび位置決め用の係止ピン５２）へ保持部材１０Ｂを押圧して回り止めおよび位置決めするように構成した点である。
【００５４】
保持部材１０Ｂは、スプール軸５Ｂの大径部５Ｂ１と小径部５Ｂ２とに亘って段差部分５ｈ周りに嵌合され、非円形の小径部５Ｂ２で回り止めされるとともに段差部分５ｈで位置決めされてスプール軸５Ｂに係止される。保持部材１０Ｂの基部１１は、スプール軸５Ｂの断面円形の大径部５Ｂ１に円形嵌合される。
【００５５】
スプール軸５Ｂの小径部５Ｂ２は、図６（ａ）（ｃ）に示すように、断面略小判形状に形成されている。小径部５Ｂ２の外面には雄ネジ５ｊ（図６（ｃ）参照）が形成されている。
【００５６】
ナット２０Ｂは、スプール軸５Ｂの小径部５Ｂ２に螺合可能である。ナット２０Ｂは、円筒状を呈しており、治具によって締め付けられることで、保持部材１０Ｂの前端部１６に当接し、保持部材１０Ｂを係止部を形成する段差部分５ｈに向けて押圧する（図６（ｂ）（ｃ）参照）。これにより、保持部材１０Ｂが軸方向に締め付けられ、段差部分５ｈとナット２０Ｂとの間に挟持されるようにして保持部材１０Ｂが固定される。
なお、スプール軸５Ｂの小径部５Ｂ２は、断面略小判形状のものに限られることはなく、回り止め係止する非円形状であればよい。
【００５７】
本実施形態においても、スプール軸５Ｂの小径部５Ｂ２にナット２０Ｂを螺合して締め付けると、ナット２０Ｂが保持部材１０Ｂに当接し、保持部材１０Ｂを段差部分５ｈ側へ押圧するので、保持部材１０Ｂが段差部分５ｈとナット２０Ｂとの間にしっかりと挟持される。これによって、保持部材１０Ｂをスプール軸５Ｂにガタつきなく固定することができる。
【００５８】
また、ナット２０Ｂが保持部材１０Ｂの前端部１６を押圧する構造であるので、第１，第２実施形態の保持部材１０，１０Ａに比べて保持部材１０Ｂの形状をシンプルな形状とすることができる。したがって、コストの低減を図ることができる。
なお、スプール軸５Ｂの非円形の小径部５Ｂ２の外周には、図示しないがドラグ装置を構成する各種制動板が回転可能および回転不能に嵌合される。保持部材１０Ｂは、スプール軸５Ｂに固定されてスプール４を回転可能に支持し、スプール軸５Ｂの先端側の雄ネジ５ｊが形成される非円形の小径部５Ｂ２に各種制動板、ライニング材が嵌合され、ドラグ装置のドラグノブ内のナット部材の螺合進退でスプールの制動力が調節される。
【００５９】
以上、本発明の実施形態について説明したが、本発明は、上記した実施形態に限定されることはなく、種々変形することが可能である。
例えば、保持部材１０，１０Ａ，１０Ｂは、ナット２０等の締結部材で係止部側へ押圧されるものであれば、種々の形状のものを採用することができる。
また、ナット２０等の締結部材は、２つ重ねて用いてもよい。この場合には、よりガタつきなく保持部材１０等をスプール軸５等に固定することができる。
【符号の説明】
【００６０】
１      リール本体
４      スプール
５，５Ａ，５Ｂ  スプール軸
５ｅ    先端部
１０，１０Ａ，１０Ｂ    保持部材
１１    基部
１１ｃ    貫通孔（係止部）
１２    筒部
２０，２０Ｂ    ナット（締付部材）
５１    透孔（係止部）
５２    係止ピン（係止部）
６０    ねじ（締付部材）
【図１】
2015208287.tif 000003
【図２】
2015208287.tif 000004
【図３】
2015208287.tif 000005
【図４】
2015208287.tif 000006
【図５】
2015208287.tif 000007
【図６】
2015208287.tif 000008